(57)【要約】【課題】納骨室内を換気することができると共に、換気用の通気路の開口部が視認されにくい墓石を提供する。【解決手段】墓石１を、上面に開口した収容空間を有する四つ石１０と、四つ石１０の上面に載置され、正面に開口し、収容空間の開口部と繋がる収容路２１を有する中台２０と、中台２０の正面に背面を当接して載置され、収容路２１の開口部２１ａを塞ぐ蓋台５０とを具備し、収容空間が中台２０と蓋台５０とに囲まれた納骨室１００が構成される墓石１であって、蓋台５０が、下面に横方向に延びて側面に抜ける下面溝部５１、縦方向に延びて下面溝部５１と繋がる縦孔部５２、背面から前方に延びて縦孔部５２と繋がると共に、背面に開口して収容路２１の開口部２１ａと繋がる横孔部５３から構成される前方通気路５４を有する構成とする。【選択図】図６
2016148211.tif 000002
【特許請求の範囲】
【請求項１】
上面に開口した収容空間を有する四つ石と、
該四つ石の上面に載置され、正面に開口し、前記収容空間の開口部と繋がる収容路を有する中台と、
該中台の正面に背面が当接し、前記収容路の開口部を塞ぐ蓋台と
を具備し、前記四つ石と前記中台と前記蓋台とに囲まれて納骨室が構成される墓石であって、
前記蓋台が、
下面に横方向に延びて側面に抜ける下面溝部、
縦方向に延びて前記下面溝部と繋がる縦孔部、
該縦孔部と繋がると共に、背面に開口して前記収容路と繋がる横孔部
によって構成される前方通気路を有する
ことを特徴とする墓石。
【請求項２】
前記中台の収容路の天井面が前方で高く、後方で低くなるように傾斜しており、前記天井面の下端が前記納骨室内の後方の壁面よりも前方に位置する
ことを特徴とする請求項１に記載の墓石。
【請求項３】
前記中台は、前記収容路の天井面の下端から後方の下面に、幅方向に延びる帯状の流止め部
を具備することを特徴とする請求項２に記載の墓石。
【請求項４】
前記四つ石の背面と前記納骨室とを繋ぐ後方通気路
を具備することを特徴とする請求項１乃至請求項３の何れか一つに記載の墓石。
【請求項５】
前記縦孔部の開口部、または前記後方通気路の開口部に取付けられる通気性の蓋部材
を具備することを特徴とする請求項４に記載の墓石。
【発明の詳細な説明】
【技術分野】
【０００１】
本発明は、墓石に関するものである。
【背景技術】
【０００２】
墓石には、遺骨を納める納骨室が地下に設けられる地下式と、地上に設けられる地上式がある。地下式の墓石は、地中の水分により納骨室内の湿度が高くなりやすく、カビや苔が生えて納骨室や遺骨が汚れやすい。これに対して、地上式の墓石は、地中の水分の影響を受けにくい。
【０００３】
ところが、地上式の墓石においても納骨室は密閉性が高いため、湿度が高くなりやすい。このため、夜間等に納骨室内に結露が発生してカビや苔が生える場合がある。更に、結露で生じた水滴は、墓石の隙間をつたって外表面を湿らせる。そのため、墓石の外表面にもカビや苔が生えたり、砂や埃等が付着したりして汚れる場合があった。
【０００４】
そこで、地上式の墓石で納骨室内を換気する技術が提案されている。特許文献１の墓石は、納骨室を囲む左右の側壁等に外部と納骨室とを繋ぐ通気路を設けるものである。これにより、納骨室内を換気して湿度を低く保ち、結露を生じ難くすることを意図している。
【０００５】
しかしながら、上記の墓石では通気路の開口部が左右の側壁にあり視認されやすい。このため、美観が損なわれ、好ましいものではなかった。
【先行技術文献】
【特許文献】
【０００６】
【特許文献１】特許４４１１２８６号公報
【発明の概要】
【発明が解決しようとする課題】
【０００７】
そこで、本発明は、上記の実情に鑑み、納骨室内を換気することができると共に、その換気用の通気路の開口部が視認されにくい墓石の提供を、課題とするものである。
【課題を解決するための手段】
【０００８】
上記の課題を解決するため、請求項１の発明にかかる墓石は、
「上面に開口した収容空間を有する四つ石と、
該四つ石の上面に載置され、正面に開口し、前記収容空間の開口部と繋がる収容路を有する中台と、
該中台の正面に背面が当接し、前記収容路の開口部を塞ぐ蓋台と
を具備し、前記四つ石と前記中台と前記蓋台とに囲まれて納骨室が構成される墓石であって、
前記蓋台が、
下面に横方向に延びて側面に抜ける下面溝部、
縦方向に延びて前記下面溝部と繋がる縦孔部、
該縦孔部と繋がると共に、背面に開口して前記収容路と繋がる横孔部
によって構成される前方通気路を有する」ものである。
【０００９】
本構成の墓石は、四つ石の収容空間が中台と蓋台とに囲まれて納骨室が形成されている。そして、納骨する際は、蓋台を取外し、中台正面の収容路の開口部から納骨室に遺骨を納骨するものである。本構成の墓石では、蓋台の下面溝部と、蓋台が載置された面とにより、通気用の孔部が形成される。この蓋台下面の孔部は、蓋台の側面下方に開口する前方通気口を有するため、視認しにくく墓石の美観を損ねることが無い。蓋台下面の孔部と、縦孔部と、横孔部とにより構成される前方通気路は、納骨室と繋がる収容路と連通している。従って、本構成の墓石では、外部と納骨室とを繋ぐ換気経路が形成されており、納骨室内を換気することができる。このため、納骨室内の湿度が低く保たれ結露しにくい。
【００１０】
請求項２の発明にかかる墓石は、上記構成において、
「前記中台の収容路の天井面が前方で高く、後方で低くなるように傾斜しており、前記天井面の下端が前記納骨室内の後方の壁面よりも前方に位置する」ものである。
【００１１】
本構成の墓石では、収容路の天井面が前方から後方へ低くなるように傾斜している。これにより、納骨室の上方に位置する前方通気口から流入した空気が前方通気路を通り、収容路の天井面の傾斜に沿って下方に流れて納骨室内に流入する。また、納骨室内の空気は、同様に収容路の天井面の傾斜に沿って上方に流れ、前方通気路を通って前方通気口から外部に排出される。つまり、空気が収容路の傾斜に沿って直線的に流れるため滞留しにくく、効率的に換気をすることができる。また、収容路の天井面の下端は、納骨室内の後方の壁面よりも前方にある。これにより、結露により生じた水滴が収容路の天井面に沿って流れても下端の部分で下に落ちやすい。このため、水滴が天井面の下端より後方に伝って四つ石と中台の隙間を通り、墓石の外表面を湿らすことを防ぐことができる。従って、墓石の外表面を清潔に保つことができる。
【００１２】
請求項３の発明にかかる墓石は、上記構成に加えて、
「前記中台は、前記収容路の前記天井面の下端から後方の下面に、幅方向に延びる帯状の流止め部を具備する」ものである。
【００１３】
「流止め部」は、シリコーンゴムを塗布して形成することができる。また、流止め部は、中台と一体で石材により形成されてもよい。或いは、別体の流止め部を接着剤等により接着してもよい。
【００１４】
本構成の墓石では、収容路の天井面の下端、または、天井面の下端よりも後方の中台の下面に流止め部が設けられている。これにより、結露で生じた水滴が収容路の天井面に沿って流れても、流止め部で堰き止められて下に落ちる。従って、水滴が流止め部よりも後方に伝って四つ石と中台の隙間を通り、墓石の外表面を湿らすことをより防止することができる。
【００１５】
請求項４の発明にかかる墓石は、上記構成に加えて、
「前記四つ石の背面と前記納骨室とを繋ぐ後方通気路を具備する」ものである。
【００１６】
本構成の墓石は、中台正面の収容路の開口部を塞ぐ蓋台の前方通気路と、四つ石の背面に開口した後方通気路を備えている。つまり、正面の前方通気路から背面の後方通気路へ、或いは、後方通気路から前方通気路へ空気が流通することができる。これにより、納骨室内で空気が滞留しにくく、納骨室内を容易に換気することができる。また、後方通気路は四つ石の背面に開口しているため、墓石の正面及び側面からは後方通気路の開口部が視認されにくい。
【００１７】
請求項５の発明にかかる墓石は、上記構成加えて、
「前記縦孔部の開口部、または前記後方通気路の開口部に取付けられる通気性の蓋部材を具備する」ものである。
【００１８】
「蓋部材」は、網目状の部材や、複数の貫通孔を有する部材を用いることができ、或いは、これらを重ねて用いてもよい。
【００１９】
本構成の墓石は、縦孔部の開口部または後方通気路の開口部に蓋部材を取付けることにより、通気性を保ちつつ、納骨室にゴミや虫、小動物等が入って汚れることを防ぐことができる。加えて、蓋台下面に位置する縦孔部の開口部に取付けられた蓋部材は視認されないため、美観を損ねることがない。
【発明の効果】
【００２０】
以上のように、本発明の効果として、納骨室内を換気することができると共に、換気用の通気路の開口部が視認されにくい墓石を、提供することができる。
【図面の簡単な説明】
【００２１】
【図１】本発明の一実施形態である墓石の斜視図である。
【図２】図１の墓石の四つ石と土台部分の斜視図である。
【図３】図１の墓石の（ａ）は正面図、（ｂ）は蓋台を取外した際の正面図である。
【図４】図１の墓石の蓋台の（ａ）は上方から見た斜視図、（ｂ）は下方から見た斜視図である。
【図５】図１の墓石の背面図である。
【図６】図１の墓石の縦端面図である。
【発明を実施するための形態】
【００２２】
以下、本発明の一実施形態である墓石について図１乃至図６を用いて説明する。
【００２３】
本実施形態の墓石１は、地上式の墓石１であり、土台８０の上面に、上面に開口した収容空間１５を有する四つ石１０が載置されている。四つ石１０の上面には直方体状の中台２０が載置されている。中台２０には、正面に開口し、収容空間１５の開口部と繋がる収容路２１が形成されている。また、中台２０の上面には直方体状の上台３０が載置されている。更に、上台３０の上面には、縦に長い直方体状の竿石４０が載置されている。
【００２４】
中台２０の正面には、蓋台としての香炉５０が背面を中台２０の正面に当接させて四つ石１０の上面に載置されており、収容路２１の開口部（以下、収容口２１ａと称する）を塞いでいる。なお、香炉５０は、上面に円筒状の線香立て（図示しない）を載置して使用されるものである。また、中台２０上面には水鉢６０が背面を上台３０の正面に当接させて載置されている。水鉢６０の上面には溝が形成されており、水を溜めることができる。四つ石１０の上面で香炉５０の左右両側には花立７１，７２が載置されている。花立７１，７２は、縦に長い直方体形状であり、上面に花を活けるための孔部が穿設されている。また、花立７１，７２は香炉５０よりも高い。これにより、香炉５０の側面が視認されにくい。
【００２５】
本実施形態の墓石１では、中台２０と香炉５０とで囲まれた四つ石１０の収容空間１５が納骨室１００となる。本実施形態の墓石１は、香炉５０を取外し、遺骨を収容口２１ａから収容路２１を通して納骨室１００に納骨するものである。なお、墓石１に用いる石材の種類としては、花崗岩、安山岩、閃緑岩が一般に用いられる。
【００２６】
より詳細に説明すると、四つ石１０は図２に示すように、直方体状である前石１１、後石１２、二つの入子１３，１４の四つの石材から構成されている。前石１１と後石１２は大きさが同一であり、入子１３と入子１４は大きさが同一である。前石１１と後石１２は、土台８０の上面に間隔を開けて平行に載置されている。入子１３と入子１４は、前石１１と後石１２とに正面と背面を当接した状態で土台８０の上面に間隔を開けて平行に載置されており、四つ石１０は矩形枠状となっている。なお、本実施形態の墓石１では、四つ石１０は矩形枠状に載置された四個の石材から構成されているが、上面に開口した収容空間を有する一個の石材により四つ石が構成されてもよい。
【００２７】
収容路２１は、中台２０の正面から下面にかけて斜めに切欠いて形成されている。この収容路２１の収容口２１ａは、図３（ｂ）に示すように矩形状になっている。また、収容路２１の天井面２１ｂは、図６に示すように前方で高く、後方で低くなるように傾斜している。中台２０は、天井面２１ｂの下端が後石１２の正面よりも前方に位置するように四つ石１０の上面に載置されている。つまり、収容路２１の天井面２１ｂの下端は納骨室１００内の後方の壁面よりも前方に位置している。
【００２８】
香炉５０には、図４に示すように、両側面に亘って下面を切削して下面溝部５１が形成されている。また、下面溝部５１の天井面５１ａから縦方向に円筒状の縦孔部５２が穿設されており、背面から前方へ円筒状の横孔部５３が穿設されている。上記構成の香炉５０が前石１１の上面に載置されることにより、下面溝部５１と前石１１の上面とで通気用の孔部が形成されている。この孔部は、香炉５０の両側面の下方に開口している。以下では、この開口部を前方通気口５４ａと称する。また、縦孔部５２は、下端５２ａが下面溝部５１の天井面５１ａに開口して下面溝部５１と連通していると共に、上端５２ｂが横溝部５３に開口して横孔部５３と連通している。横孔部５３は香炉５０の背面に開口しており、横孔部５３の開口部５３ａは収容口２１ａと連通している。つまり、香炉５０下面の孔部と縦孔部５２と横孔部５３とにより構成される前方通気路５４は、納骨室１００と繋がる収容路２１と連通している。従って、納骨室１００と外部とを繋ぐ換気経路が形成されている。また、前方通気口５４ａは香炉５０の側面に、横長の長方形状で開口している。このため、前方通気口５４ａが墓石１の正面から視認されにくい。更に、墓石１の側面からは前方通気口５４ａが開口した部分が香炉５０を支持する脚部のように見え、換気用の通気路の開口部であることを認識させにくいものとなっている。
【００２９】
四つ石１０には、図５及び図６に示すように、後石１２を前後方向に貫通して円筒状の後方通気路９０が形成されている。つまり、後方通気路９０を介して納骨室１００と外部は連通している。以下では、四つ石１０背面の後方通気路９０の開口部を後方通気口９０ａと称する。
【００３０】
従って、本実施形態の墓石１では、香炉５０の前方通気口５４ａから流入した空気が前方通気路５４を通り、収容路２１の天井面２１ｂの傾斜に沿って下方に流れて納骨室１００に流入し、後方通気口９０を通って後方通気口９０ａから流出する。或いは、後方通気口９０ａから流入した空気が後方通気路９０を通って納骨室１００に流入し、収容路２１の天井面２１ｂの傾斜に沿って上方に流れて前方通気路５４を通り、前方通気口５４ａから流出する。このとき、収容路２１の天井面２１ｂが前方で高く、後方で低くなるように傾斜して形成されていることにより、四つ石１０の上面に載置された香炉５０の前方通気口５４ａと、四つ石１０の後石１２に設けられ、前方通気口５４ａの下方に位置する後方通気口９０ａを流通する空気の流れが直線的になり、滞留しにくくなる。従って、効率的に納骨室１００内を換気することができる。なお、従来の墓石では、中台の下面を正面から背面に向かって水平に切削して収容路が形成されていた。このため、空気の流れが滞留しやすく、納骨室１００内の空気が換気されにくいものであった。
【００３１】
また、本実施形態の墓石１では、収容路２１の天井面２１ｂの下端に、収容路２１の幅方向に延びる流止め部９３が突設されている。流止め部９３はシリコーンゴムで形成されている。流止め部９３が設けられていることにより、結露によって生じた水滴が天井面２１ｂに沿って下方に流れた際に、水滴は流止め部９３で堰き止められて下方に落ちる。このため、流止め部９３より後方に水滴が伝って四つ石１０と中台２０との隙間を通り、墓石１の外表面を湿らすことを防止できる。従って、墓石１の外表面が汚れにくい。なお、流止め部９３は中台２０と一体に形成されてもよい。或いは、金属製、石製、樹脂製の板材を接着剤により収容路２１の下端に接着してもよい。
【００３２】
更に、香炉５０の縦孔部５２の下端５２ａと、後方通気口９０ａには、蓋部材９１，９２がそれぞれ取付けられている。ここで、縦孔部５２の下端５２ａと、後方通気口９０ａは、同一形状で形成されており、蓋部材９１，９２も同一構成になっている。具体的には、蓋部材９１，９２は、それぞれの孔に挿入される円筒状の挿入部と、挿入部の一端から径方向に延びる円形のフランジ部と、挿入部の一端を通気可能に塞ぐ多孔部とから構成されており、挿入部、フランジ部はステンレス製であり、多孔部は、ステンレス製の網である。これにより、縦孔部５２及び後方通気路９０からゴミや虫、小動物等が入ることを防ぐことができる。しかも、縦孔部５２の下端５２ａと、後方通気口９０ａを同一の構成とすることにより、同一構成の蓋部材９１，９２を使用することができるため製造が容易になる。更に、蓋部材９１は香炉５０下面に位置する縦孔部５２の下端５２ａに取付けられているため視認されず、美観を損ねることがない。
【００３３】
上記のように、本実施形態の墓石１では、香炉５０の前方通気路５４と、中台２０の収容路２１と、四つ石１０の後方通気路９０により、換気経路が形成されている。前方通気口５４ａは香炉５０の側面下方に開口しているため、墓石１の正面から前方通気口５４ａが視認されにくい。更に、本実施形態の墓石１では、香炉５０の左右に花立７１，７２が配設されているため、墓石１の側面からも前方通気口５４ａがより視認されにくい。また、後方通気口９０ａは墓石１の背面側に設けられているため正面からは死角となる。従って、前方通気路５４及び後方通気路９０の開口部である前方通気口５４ａ及び後方通気口９０ａが視認されにくく、墓石１の美観が損なわれない。
【００３４】
また、本実施形態の墓石１では、前方通気路５４と後方通気路９０が設けられていることにより、前方通気口５４ａから流入した空気が後方通気口９０ａから流出する、或いは後方通気口９０ａから流入した空気が前方通気口５４ａから流出する。つまり、空気の流入する開口部と流出する開口部が異なることにより納骨室１００内で空気が滞留しにくく、納骨室１００内が換気されやすい。これにより、納骨室１００内の湿度を低く保ちやすく、納骨室１００や遺骨を清潔に保つことができる。
【００３５】
更に、本実施形態の墓石１では、中台２０の収容路２１の天井面２１ｂが前方で高く、後方で低くなるように傾斜して設けられている。これにより、墓石１の正面側及び背面側で高さが異なる位置にそれぞれ開口している前方通気路５４と後方通気路９０を流通する空気が収容路２１の天井面２１ｂの傾斜に沿って直線的に流れる。従って、納骨室１００内で空気が滞留しにくく、効率的に換気することができる。
【００３６】
また、本実施形態の収容路２１は、中台２０の正面から下面へ斜めに切削することにより形成することができる。従って、従来の墓石のように中台の下面を正面から背面に向かって水平に切削して収容路を形成する場合よりも加工しやすい。
【００３７】
加えて、収容路２１の天井面２１ｂの下端は、納骨室１００内で後方の壁面よりも前方の位置にある。これにより、結露で生じた水滴が収容路２１の天井面２１ｂに沿って流れても下端の部分で下方に落ちやすく、それより後方に伝いにくい。更に、本実施形態の墓石１では天井面２１ｂの下端に流止め部９３が設けられているため、流止め部９３で水滴が堰き止められて下方に落ち、後方に水が伝いにくい。従って、結露で生じた水滴が四つ石１０と中台２０の隙間を伝って墓石１の外表面を湿らせることを防止することができる。これにより、墓石１の外表面を清潔な状態に保ちやすい。
【００３８】
また、本実施形態の墓石１では、香炉５０の縦孔部５２の下端５２ａと後方通気口９０ａに、通気性の蓋部材９１，９２が取付けられている。これにより、通気を妨げることなく、納骨室１００内にゴミや虫、小動物等が入ることを防ぐことができ、納骨室１００内を清潔に保つことができる。
【００３９】
加えて、本実施形態の墓石１では、香炉５０の下面溝部５１が縦孔部５２と連通しており、上方に向かう換気経路になっている。従って、香炉５０下面の孔部に雨水が流入しても縦孔部５２には入らず、納骨室１００内に雨水が入ることを防止することができる。
【００４０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４１】
例えば、上記の実施形態では、蓋台は香炉して用いられる場合を例示したが、水鉢、或いは、花立として使用できるものでもよい。また、上台と竿石の間に、蓮華台やスリン台と称される装飾用の石材を載置してもよい。加えて、和型の墓石を例示したが、洋型やデザイン型と称される様々な装飾が施された墓石であってもよい。
【符号の説明】
【００４２】
１  墓石
１０  四つ石
１５  収容空間
２０  中台
２１  収容路
２１ｂ  天井面
５０  香炉（蓋台）
５１  下面溝部
５２  縦孔部
５３  横孔部
５４  前方通気路
９０  後方通気路
９１，９２  蓋部材
９３  流止め部
１００  納骨室
【図１】
2016148211.tif 000003
【図２】
2016148211.tif 000004
【図３】
2016148211.tif 000005
【図４】
2016148211.tif 000006
【図５】
2016148211.tif 000007
【図６】
2016148211.tif 000008